(57)【要約】      （修正有）【課題】家庭用炊飯器の水加減は内釜に付けられた目盛を見て調整するが、目盛と水面の境界付近は表面張力で曲面となりレンズ状になる事や釜内部が暗いことも加味して大いに不便な事であった。【解決手段】初めは希望量の米を釜の目盛に従い指定水量で炊飯するが、その時の水位をは本発明による水位比較計測器１に記憶させる。次に炊飯する際は水位比較計測器１の目盛を見ることで水の管理ができ、前日の炊飯具合に比較した水量の微調整が可能となった。【選択図】図１
2016016043.tif 000002
【特許請求の範囲】
【請求項１】
自由に選択した水位を計測器に記憶させ、次回の炊飯時に前記水位に比較した増減を表示し、自由に選択した水位を正確に再現できる事を可能とし水位比較計測器を用いた炊飯器の水管理方法。    
【請求項２】
先ず、軽量な樹脂よりなるゲージ板２の長手方向にスリット２′を設け、スリット２′を挟んで且つ長手方向の移動が可能になるべく指標４を組み合わせる。次に垂直側面に突起３´を複数個設けたところの浮き３を前記ゲージ板２と長手方向中心線を合わせて然るべく結合させる。しかる後ゲージ板２と浮き３が長手方向に自由に移動可能な構成で且つ炊飯釜に直立する筒状の計測器ボディ１に組み合わせ、計測器天板１′とストッパー５によって全体が保持された事を特徴とした特許請求項１による水位比較計測器。
【請求項３】
まず、浮き３には垂直側面に突起３´を複数個設ける。次にテコ７は下方の力点に上方へ押し上げる力が働いた際に作用点が回転する構成として準備する。次に下方に高さ調整ネジ部９と高さ調整足１０を設けた計測器ボディ１の下方内部に前記テコ７の支点受け８を構成し、テコ７の力点は下方に位置させたところの浮き３の上面と接触させる。次に前記テコ７の作用点を計測器天板１′から上方に飛び出したテコ作用点７に指標４を取り付けた事を特徴とした特許請求の範囲１項の水位比較計測器。
【請求項４】
スライダと浮きを一体に組み合わせ、デジタル表示器を浮きの上面に設けたデジタルノギスを組み合わせ、デジタルノギスのゼロ点を固定的に記憶する測長プログラムを組み合わせた事を特徴とした特許請求の範囲１項の水位比較計測器。
【発明の詳細な説明】
【技術分野】
【０００１】
本発明は、家庭用炊飯器の水の量を比較確認する為の方法、器具に関する。
【背景技術】
【０００２】
米の炊飯器は各種センサーとマイコンの進化に伴い急速に進化した家電であるが、炊き加減の出来不出来の判断は依然として不完全な事であった。すなわち、主観的要素があまりにも多く、評価の方法が曖昧であることが第１の原因と推測される。
【０００３】
現在市販されている家庭用炊飯器、および実際に使用されている炊飯器の水量は目視で内釜の目盛を確認するものが大部分であり、なかなか不便な事である。
【０００４】
この不便さを解決する為に、中心軸の最上部にキャップを設け、その軸に浮きのフロートと一体となっているスライドを貫通させ、軸の上部に数字を書き入れ、水に入れると、フロートと一体となっているスライドが上昇し、スライド上部の窓に数字が入ると水を止めて、炊飯器の上部に望みのお米の水量を数字で大きく見ることができる炊飯水量計具。（特許文献１参照）が提案されている。
【先行技術文献】
【特許文献】
【０００５】
【特許文献１】特開２００９−２２６１７３号公報
【特許文献２】特開２００７−２９２１０号公報
【発明の概要】
【発明が解決しようとする課題】
【０００６】
解決しようとする問題点は、炊飯器の炊飯釜の内側に刻印された目盛を目視で確認しようとした際に、水の表面張力で境界が曲面になり目盛自体が見づらくなる点である。例えば直径が１８ｃｍ位の炊飯釜で水の量を１０％多くしようとした場合は凡そ１ｍｍの水位の変化を読み取る必要があり目視では困難な事であった。
【課題を解決するための手段】
【０００７】
本発明は、炊飯釜の目盛とは別に独立した水位計測器を用い、前回の炊飯時の水位を水位計測器に記憶させ、それを基準として次回の炊飯時に水量が多いか少ないかを精密に比較計測する事を特徴とする。
【発明の効果】
【０００８】
本発明により家庭用炊飯器での水量管理がより精密に可能となった。すなわち自分自身の炊飯結果による経験から最も気に入った水量、すなわちその時の水位を炊飯器水位比較計測器に記憶させ、次回からはその水位に精密に合わせる事が可能となった為である。
【図面の簡単な説明】
【０００９】
【図１】図１は水位比較計測器の実施方法を示した断面図である。（実施例１）
【図２】図２は水位比較計測器の実施方法を示した斜視図である。（実施例１）
【図３】図３は水位比較計測器の実施方法を示した断面図である。（実施例２）
【図４】図４は水位比較計測器の実施方法を示した斜視図である。（実施例２）
【図５】図５は水位比較計測器の実施方法を示した斜視図である。（実施例３）
【発明を実施するための形態】
【００１０】
図１は、本発明の請求項２による一実施例の断面図である。
浮き３は突起３′を上下８か所に設けてあり、計測器ボディ１の内側を自由に移動できる。突起３′は水の表面張力で浮き３と計測器ボディ１が密着して動かなくなる事を防止する為のものである。
【００１１】
ゲージ板２は中央部長手方向にスリットが設けられており下端は浮き３に接合され、上側は計測器天板１′を貫通して組み合わせられている。浮き３はストッパー５により計測器ボディ１より抜け落ちないようにされ、計測器ボディ１の最下端には密着防止穴６が設けられる。この穴が無いと炊飯釜に計測器ボディ１を立てた際に炊飯釜の底面と密着して水が入らなくなる。
【００１２】
指標４は矢印部と軸と押さえワッシャからなり、ゲージ板２のスリットを通し両面から挟んで軸をカシメる事で移動可能に固定する。軸を段付きネジにしてナットで取り付ける方法も可能である。
【００１３】
使用方法は次の通りである。まず今まで通りの水加減にして水を入れ、この時点での水位比較計測器の指標４の矢印部が計測器天板１′の指示線と一致するように指標４を手で移動させる。
この作業が水位比較計測器への水位記録であり、次回の炊飯時はこの指標４を見ることで前回とまったく同じ水位にする事が可能となる。
【００１４】
もし第１回目の炊飯時の炊き上がりが柔らかめであったり、固めであったりした場合は指標４の位置を移動させ自分の好みに合った最適位置を決定する。
【００１５】
図３は、本発明の請求項３による一実施例の断面図である。
テコ７はステンレス針金と支点となる中心に穴のある円盤部に接合されて構成される。テコ７の力点部は浮き３の上面に接触し浮きが上方に上がる力でテコ７を作動させる。テコ７は平時は下がった状態になるように重量配分をされている。
【００１６】
計測器ボディ１は縦方向に２分割された構造で、ネジ、接着等で一体に組み立てられる。計測器ボディ１の下方に横断面が円形の高さ調整ネジ部９を設け、高さ調整足１０がネジで組み合わせられる、高さ調整足１０は回転により上下に移動する事で、炊飯釜と浮きの高さ位置関係を調整する。米１合以内の微調整はこの高さ調整足１０の回転による上下動で調整する。また高さ調整ネジ部９の長さは一定とし、高さ調整足１０の長さを数種類用意する事で米１合単位の炊飯量の変化に対応する。すなわち炊飯器でお米を３合炊く場合は３合用の高さ調整足１０に変更する。通常一般家庭での炊飯量はほぼ一定している事が多く不便さは無い。
【００１７】
浮き３は請求項１の浮きと同じ構成である。接触防止突起３′をもち、本実施例では高さ調整ネジ部９の内面部に収まり自由に上下する。計測器天板１′にはテコ７の作用点が飛び出し自由に左右に動作可能なスリットを有する。計測器天板１′には０、＋、―などの印と目盛が印刷され、テコ７の先端には矢印状の指標が固定されている。作用点の動作は円運動の為、左右位置と中央部での上下の距離が発生する為、その動作に障害が起きない距離を飛び出させる。
【００１８】
透明な材質で計測器天板１′のカバーが設けらて指標４が変形される事が起きないように保護されることは有効であるが本発明の要件説明には影響はないので図面上は省略されている。
【００１９】
本請求項３の実施例は、水位の変化を拡大してみることが可能であり本実施例では１ミリの水位の変化が１０ｍｍの目盛の左右移動の変化に表示され、おおいに役立つ。
【００２０】
図５は、本発明の請求項４による一実施例の断面図である。
デジタルノギスはディプスゲージと呼ばれる深さを計測するタイプが最も本実施例に近いが、要は距離を電子的に測定する器具である。本実施例の場合デジタルノギス１は、本尺１２と、本尺１２の長手方向に摺動自在なスライダ１３、それに一体に組み合わせた浮き３とから成る。スライダ１３には、変位センサと、電子回路等が含まれている。変位測定結果である検出値を表示する表示器１４は浮き３の上面に配置されている。
【００２１】
本実施例においては重要な点は、表示器に出力するまでのプログラムであるが、一度記憶した水位時の位置をゼロ点としてスイッチが切られたのちも記憶できるようにする。すなわち通常の電子ノギスはスイッチが切られればゼロ点は消滅し、初めからやり直すことになるが本実施例においては上手に炊飯できた際の水位時の位置情報をゼロ点として固定的に記憶させられる機能である。
【００２２】
複数のゼロ点を記憶できるプログラムが望ましい。すなわち３合の米を炊いたとき２合の米を炊いた時のように複数のゼロ点を記憶し、使用時に選択できるようにする事が望ましい。    使用時には、３合なら３合のゼロ点情報を呼びだし、その水位に対して今日の水位が大きいのか小さいのかを表示する。
【産業上の利用可能性】
【００２３】
本発明により家庭用炊飯器の水の量の管理が楽に正確に出来るようになった。
【符号の説明】
【００２４】
１      計測器ボディ
１′    計測器天板
２      ゲージ板
２′    スリット
３      浮き
３′    接触防止突起
４      指標
５      ストッパー
６      密着防止穴
７      テコ
８      支点受け
９      高さ調整ネジ部
１０    高さ調整足
１１    密着防止穴
１２    本尺
１３    スライダ
１４    デジタル表示部
【図１】
2016016043.tif 000003
【図２】
2016016043.tif 000004
【図３】
2016016043.tif 000005
【図４】
2016016043.tif 000006
【図５】
2016016043.tif 000007